(57)【特許請求の範囲】
【請求項１】
遊技機の動作を制御する制御基板を収納した収納ケースを、前記遊技機に設けられたベース部に取り付けるための遊技機における収納ケースの取付構造であって、
前記収納ケースに係合部を設ける一方、前記ベース部に前記収納ケースを取り付けるための取付凹部を形成する一方、
前記係合部が係合可能な係合溝を有するレール状の案内片を、前記収納ケースの前記取付凹部の底部側への押し込み方向へ延びるように前記取付凹部内へ突設するとともに、前記案内片の先端と前記取付凹部の底部との間に前記係合部が進入可能な隙間を設けており、
前記係合部を前記案内片に係合させた状態で前記収納ケースを前記取付凹部の底部側へ押し込むことにより、前記案内片が弾性変形して前記係合部の前記底部側への進入が許容されるとともに、前記収納ケースが前記取付凹部の底部へ到達すると、前記係合部と前記案内片との係合が解除されて前記案内片が弾性変形前の突出位置へ復帰し、前記係合部が前記隙間に進入して前記案内片の先端面と前記係合部とが押し込み方向で重なることにより、前記係合部の反押し込み方向への移動が規制されることを特徴とする遊技機における収納ケースの取付構造。
【請求項２】
前記取付凹部の底部に、取付状態にある前記収納ケースを反押し込み方向へ付勢し、前記係合部の表面を前記案内片に押し付ける弾性部を設けたことを特徴とする請求項１に記載の遊技機における収納ケースの取付構造。
【請求項３】
前記取付凹部の底部と前記収納ケースとの何れか一方に突起を設け、他方に前記収納ケースを前記取付凹部へ取り付けた状態において前記突起が嵌入可能な嵌合部を設けたことを特徴とする請求項１又は２に記載の遊技機における収納ケースの取付構造。
【発明の詳細な説明】
【技術分野】
【０００１】
本発明は、遊技動作を制御する基板を備えてなる遊技機において、基板を収納した収納ケースを取り付けるための取付構造に関するものである。
【背景技術】
【０００２】
従来、パチンコ機やスロットマシーン等の遊技機には、所謂大当たり抽選等の遊技を制御するための各種制御基板が備えられており、これらの制御基板は、収納ケース内へ収納された状態で遊技盤の後面等へ取り付けられる。そして、収納ケースを取り付けるにあたっては、ビス等を用いてネジ止めしたり、遊技盤の後方に組み付けられる構造体等に弾性を有する係止爪を設け（特許文献１、２）、係止爪によって係止したりしていた。
【先行技術文献】
【特許文献】
【０００３】
【特許文献１】特開２００３−２９０５２７号公報
【特許文献２】特開２００９−１１９２３９号公報
【発明の概要】
【発明が解決しようとする課題】
【０００４】
しかしながら、全ての収納ケースを一々ネジ止めするとなると、収納ケースの着脱に手間がかかるし、ネジの管理等も煩わしい。また、係止爪による係止では、取付状態において収納ケースがガタ付きやすいという問題があった。
【０００５】
そこで、本発明は、上記問題に鑑みなされたものであって、収納ケースの着脱作業が簡易である上、取付状態においてもガタ付いたりしない遊技機における収納ケースの取付構造を提供しようとするものである。
【課題を解決するための手段】
【０００６】
上記目的を達成するために、本発明のうち請求項１に記載の発明は、遊技機の動作を制御する制御基板を収納した収納ケースを、前記遊技機に設けられたベース部に取り付けるための遊技機における収納ケースの取付構造であって、前記収納ケースに係合部を設ける一方、前記ベース部に前記収納ケースを取り付けるための取付凹部を形成する一方、前記係合部が係合可能な係合溝を有するレール状の案内片を、前記収納ケースの前記取付凹部の底部側への押し込み方向へ延びるように前記取付凹部内へ突設するとともに、前記案内片の先端と前記取付凹部の底部との間に前記係合部が進入可能な隙間を設けており、前記係合部を前記案内片に係合させた状態で前記収納ケースを前記取付凹部の底部側へ押し込むことにより、前記案内片が弾性変形して前記係合部の前記底部側への進入が許容されるとともに、前記収納ケースが前記取付凹部の底部へ到達すると、前記係合部と前記案内片との係合が解除されて前記案内片が弾性変形前の突出位置へ復帰し、前記係合部が前記隙間に進入して前記案内片の先端面と前記係合部とが押し込み方向で重なることにより、前記係合部の反押し込み方向への移動が規制されることを特徴とする。
請求項２に記載の発明は、請求項１に記載の発明において、前記取付凹部の底部に、取付状態にある前記収納ケースを反押し込み方向へ付勢し、前記係合部の表面を前記案内片に押し付ける弾性部を設けたことを特徴とする。
請求項３に記載の発明は、請求項１又は２に記載の発明において、前記取付凹部の底部と前記収納ケースとの何れか一方に突起を設け、他方に前記収納ケースを前記取付凹部へ取り付けた状態において前記突起が嵌入可能な嵌合部を設けたことを特徴とする。
なお、請求項１〜３の何れかに記載の発明において、前記ベース部に、前記取付凹部を覆うように第２の収納ケースを取付可能な取付部を設けるような構成も考えられる。そして、当該構成を採用することで、ベース部に、取付凹部を覆うように第２の収納ケースを取付可能な取付部を設けているため、第２の収納ケースを取り付けることにより、取付構造全体の強度向上を図ることができるし、取付凹部内に取り付けられた収納ケースの防犯性向上も図ることができるという効果がある。
【発明の効果】
【０００７】
本発明によれば、係合部を案内片に係合させた状態で収納ケースを取付凹部の底部側へ押し込むことにより、案内片が弾性変形して係合部の底部側への進入が許容されるとともに、収納ケースが取付凹部の底部へ到達すると、係合部と案内片との係合が解除されて案内片が弾性変形前の突出位置へ復帰し、係合部が案内片と取付凹部との底部との間に進入して案内片の先端面と係合部とが押し込み方向で重なることにより、係合部の反押し込み方向への移動が規制される。すなわち、収納ケースを押し込むだけでベース部に取り付けることができるため、取付作業が非常に容易となる。また、係合部を案内片に係合させた状態のまま押し込むことができるため、押し込み時に収納ケースがズレたりせず、収納ケースの取り付けをスムーズに行うことができる。
また、請求項２に記載の発明によれば、取付凹部の底部に、取付状態にある収納ケースを反押し込み方向へ付勢する弾性部を設けているため、取付状態において係合部の表面が案内片に押し付けられることになる。したがって、収納ケースの取付強度を向上することができ、取付状態において収納ケースがガタ付いたりしない。
さらに、請求項３に記載の発明によれば、取付凹部の底部と収納ケースとの何れか一方に突起を設け、他方に突起が嵌入可能な嵌合部を設け、収納ケースを取付凹部に取り付けた状態において突起が嵌合部に嵌入するようにしているため、取付状態におけるガタ付き防止効果を一層向上することができる。
【図面の簡単な説明】
【０００８】
【図１】パチンコ機を前面側から示した説明図である。
【図２】パチンコ機を後面側から示した説明図である。
【図３】制御装置を遊技盤の後面に取り付けた状態を示した説明図である。
【図４】制御装置を示した斜視説明図である。
【図５】制御装置の一部を分解して示した斜視説明図である。
【図６】ベース部材を後面側から示した説明図である。
【図７】図６におけるＡ−Ａ線断面を示した説明図である。
【図８】サブ収納ケースを示した説明図であって、（ａ）は後面図、（ｂ）は右側面（後面側から見て右側面）図となっている。
【図９】サブ収納ケースをベース部材に取り付ける様子を示した説明図であって、（ａ）は斜視説明図、（ｂ）は要部断面を拡大して示した説明図である。
【図１０】サブ収納ケースをベース部材に取り付ける様子を示した説明図であって、（ａ）は斜視説明図、（ｂ）は要部断面を拡大して示した説明図である。
【図１１】メイン収納ケースを取り付けた状態の断面を示した説明図である。
【発明を実施するための形態】
【０００９】
以下、本発明の一実施形態となる遊技機における収納ケースの取付構造について、図面にもとづき詳細に説明する。尚、本実施形態では、遊技機の一例となるパチンコ機について説明する。
【００１０】
（パチンコ機の説明）
図１は、パチンコ機１を前面側から示した説明図であり、図２は、パチンコ機１を後面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１１】
当該遊技領域２ａは、遊技盤２の前面に円弧状に配設された外レール及び内レール（図示せず）等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、図示しない多数の遊技釘、遊技球が通貨可能なゲート部材、一対の爪片を開閉動作可能に備えたチューリップ式電動役物、開閉可能な扉部材を有する大入賞装置、風車等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が機枠３に対して夫々片開き可能に取り付けられている。さらに、貯留皿８の右側には、発射装置１０を作動させるための操作ハンドル９が回動操作可能に設置されている。
【００１３】
一方、機枠３の後面側には、供給皿５へ貸球や賞品球として払い出される遊技球を貯留するための貯留タンク１１、当該貯留タンク１１と連結された払出装置１２、図柄表示部６に「図柄」を表示させるための液晶表示装置（図示せず）、払出装置１２や液晶表示装置等の動作を統合的に制御するサブ統合基板を収納したサブ収納ケース３２（図５に示す）や遊技に係る主たる制御（たとえば、所謂「大当たり抽選」等）を実行するためのメイン制御基板（図示せず）を収納したメイン収納ケース２０を一体的に組み付けた制御装置３０が取り付けられている。
【００１４】
以上のようなパチンコ機１では、遊技者によって操作ハンドル９が回動操作されると、発射装置１０が作動して遊技球が遊技領域２ａ内へ打ち込まれる。そして、遊技領域２ａ内を流下する遊技球がチューリップ式電動役物へ入賞すると、メイン制御基板にて「大当たり抽選」を行い、所謂「大当たり」である場合には、図柄表示部６に「図柄」を所定態様（たとえば、「７、７、７」等）で表示させた後、大入賞装置の扉部材を所定回数にわたって断続的に開成させるといった所謂「大当たり状態」を生起させる。
【００１５】
（制御装置の説明）
次に、本発明の要部となるサブ収納ケース３２の取付構造を有する制御装置３０について詳述する。図３は、制御装置３０を遊技盤２の後面に取り付けた状態を示した説明図である。図４は、制御装置３０を示した斜視説明図であり、図５は、制御装置３０の一部を分解して示した斜視説明図である。
制御装置３０は、メイン収納ケース２０及びサブ収納ケース３２をベース部材３１に取り付けて一体にしたもので、図３に示す如く、遊技盤２の後面にビス等により螺着されている。
【００１６】
まず、ベース部材３１について、図５〜図７をもとに説明する。図６は、ベース部材３１を後面側から示した説明図であり、図７は、図６におけるＡ−Ａ線断面を示した説明図である。
ベース部材３１は、合成樹脂により成形されてなるもので、左右方向へ長い板状の底部４０と、底部４０の左右両側に連続して設けられた一対の脚部４１ａ、４１ｂとを備えており、脚部４１ａ、４１ｂに挟まれた底部４０の後方空間がサブ収納ケース３２を取り付けるための取付凹部３５となっている。底部４０は、後述するサブ収納ケース３２と略同じ上下幅及び左右幅を有しており、底部４０の後面にサブ収納ケース３２が取り付けられる。該底部４０の四隅には、後方へ突出する突起４２、４２・・が設けられており、底部４０の左右両側部で突起４２、４２間には、弾性を有する弾性片４３が後方へ切り起こし状に設けられている。さらに、上リブ４４が、底部４０の上辺に沿って後方へ突設されている。加えて、上リブ４４の下面には、下方へ突出する突条部４５、４５・・が所定の間隔毎に設けられている。
【００１７】
一方、脚部４１ａ、４１ｂは、底部４０の左右側辺に連続して後方へ折り曲げ形成された内壁部と、内壁部に連続して左右外方へ折り曲げ形成された後面部と、後面部の上下辺及び左右での外側辺と連続して前方へ折り曲げ形成された周壁部と、周壁部の前端部から上下左右の外方へ折り曲げ形成された固着片４６、４６・・とからなり、各固着片４６にはビス孔４７、４７・・が穿設されている。また、脚部４１ａ、４１ｂの後面部には、メイン収納ケース２０を取り付けるための取付部２１ａ、２１ｂが設けられている。取付部２１ａは、左側（パチンコ機１の後面からみて左側）の脚部４１ａに設けられており、ビス状の固定部材２２が着脱可能となっている。一方、取付部２１ｂは、右側（パチンコ機１の後面からみて右側）の脚部４１ｂに設けられており、メイン収納ケース２０の右側上下隅部を差し込み可能な凹部となっている。尚、２３は、各種基板から延びるリード線を収納するためのリード線収納溝であって、脚部４１ａ、４１ｂに設けられている。また、脚部４１ａ、４１ｂの後面部は、底部４０よりも当然後方へ突出した位置に設けられており、脚部４１ａ、４１ｂにメイン収納ケース２０を取り付けると、取付凹部３５はメイン収納ケース２０により覆われる。
【００１８】
また、脚部４１ａ、４１ｂの内壁部で、底部４０に設けられた弾性片４３の左右側方となる位置には、案内片４８が設けられている。案内片４８は、前後方向に延びるコ字状のレール状部材であって、後述するサブ収納ケース３２の係合突起５２が係合可能な係合溝を有しており、係合状態にある係合突起５２を底部４０側へ案内可能となっている。また、左側の案内片４８と右側の案内片４８とは、それぞれコの字の開放側が対向するように設けられている。さらに、各案内片４８は、内壁部から内側（取付凹部３５内側）へ突出するように設けられており、左右方向で弾性を有している。加えて、各案内片４８の前端と底部４０後面との間には隙間が形成されている。当該隙間は、サブ収納ケース３２の係合突起５２の前後方向厚みよりも１ｍｍ程度広く形成され、この隙間（すなわち、各案内片４８の前端と底部４０後面との間）にサブ収納ケース３２の係合突起５２が進入可能となっている。尚、案内片４８、４８の前端位置における左右方向の距離は、サブ収納ケース３２の左右長さ（係合突起５２、５２を含む）よりも４ｍｍ程度短くなっている。
【００１９】
次に、サブ収納ケース３２について、図５及び図８をもとに説明する。図８は、サブ収納ケース３２を示した説明図であって、（ａ）は後面図、（ｂ）は右側面（後面側から見て右側面）図となっている。
サブ収納ケース３２は、ベース部材３１同様、合成樹脂製の部材であって、前面及び前面を囲むように立設された上下左右面を有し、後面が開口する箱状に形成されており、内部にサブ統合基板を収納可能となっている。このサブ収納ケース３２の寸法は、上下方向の長さが１００ｍｍ、左右方向の長さが２２５ｍｍ、前後方向の厚みが１２ｍｍとなっている。該サブ収納ケース３２の左右側面の上部及び下部には、前面に突起４２が嵌入可能な凹部を有する嵌合部５１、５１が突設されている。また、サブ収納ケース３２の左右側面で、嵌合部５１、５１間には、係合突起５２が設けられている。該係合突起５２は、案内片４８に係合可能な大きさ（上下幅）とされているとともに、前方へ向けて上下幅が徐々に細くなるテーパ部を備えており、側面視ホームベース形状に成形されている。また、係合突起５２の前後方向での厚みは、サブ収納ケース３２本体の厚みと略同じとされており、ベース部材３１への取付時に、案内片４８の前端と底部４０後面との隙間へ進入可能となっている。尚、５３は、サブ統合基板を螺着するための螺着孔であり、５４は、サブ収納ケース３２に収納されたサブ統合基板の後面に係止する係止片である。
【００２０】
さらに、メイン収納ケース２０について、図４をもとに説明する。
メイン収納ケース２０は、前ケースと後ケースとを組み付けて、その内部空間にメイン制御基板を収納したものである。前ケースと後ケースとは、本件出願人が先に出願した特願２００８−１８７７８０に記載されているような部材及び機構により組み付けられており、一度組み付けると前ケース及び／又は後ケースの一部を破壊しない限り開放できないようになっている。また、メイン収納ケース２０の左側（パチンコ機１の後面からみて左側）には、固定部材２２が取り付けられている一方、右側（パチンコ機１の後面からみて右側）には、薄厚に形成されて取付部２１ｂに係止可能とされた係止部２４、２４が設けられている。
【００２１】
以上のように構成されるメイン収納ケース２０及びサブ収納ケース３２のベース部材３１への取り付け、すなわち制御装置３０の組み立てについて、図９〜図１１をもとに説明する。
まず、サブ収納ケース３２をベース部材３１に近づけ、係合突起５２、５２をテーパ部から案内片４８、４８に係合させ（図９）た後、更にサブ収納ケース３２を底部４０側（前方）へ押し込む。すると、係合突起５２、５２は、案内片４８、４８を左右外方へ押し広げ（弾性変形させ）ながら案内片４８、４８に係合したまま前方へ移動する。そして、サブ収納ケース３２が底部４０に到達すると、各嵌合部５１内へ突起４２が嵌入する。また、各係合突起５２と案内片４８との係合が解除され、各係合突起５２が案内片４８の前端と底部４０後面との隙間へ進入し、案内片４８，４８が押し広げられた状態から元の突出状態に復帰する。このとき、各案内片４８と係合突起５２とが左右幅２ｍｍ程度で前後方向に重なり、係合突起５２、５２が後方へ抜け止めされる。さらに、弾性片４３、４３がサブ収納ケース３２の前面に当接し、サブ収納ケース３２を後方へ付勢する。そして、弾性片４３、４３による後方への付勢によって、係合突起５２、５２が案内片４８の前面に押し付けられる（図１０）。
したがって、サブ収納ケース３２は、嵌合部５１内への突起４２の嵌入により上下左右方向への移動が、弾性片４３、４３により係合突起５２、５２が案内片４８、４８へ押し付けられることで前後方向への移動が夫々規制され、ベース部材３１にガタ付くことなく取り付けられる。
【００２２】
また、サブ収納ケース３２を取り付けた後、メイン収納ケース２０の係止部２４、２４をベース部材３１の取付部２１ｂ、２１ｂへ係止させ、固定部材２２、２２を取付部２１ａ、２１ａに固定して、メイン収納ケース２０をベース部材３１に取り付ける。すると、メイン収納ケース２０によって、左右の脚部４１ａ、４１ｂの後部同士が連結され、サブ収納ケース３２の後方が覆われた状態（取付凹部３５が覆われた状態）となる（図１１）。
以上のようにしてメイン収納ケース２０及びサブ収納ケース３２はベース部材３１に取り付けられ、制御装置３０は組み立てられる。そして、制御装置３０は、ベース部材３１の固着片４６、４６・・を遊技盤２の後面に当接させてビス止めすることにより、パチンコ機１の後方空間に設置される。尚、サブ収納ケース３２をベース部材３１から取り外す際には、案内片４８、４８を左右外方へ押し広げ、係合突起５２、５２の後方からずらせた後、係合突起５２、５２を案内片４８、４８に係合させ、後方へ引き出せばよい。
【００２３】
（本実施形態による効果）
上述したようなサブ収納ケース３２の取付構造によれば、サブ収納ケース３２に係合突起５２を設ける一方、ベース部材３１に、弾性を有し、係合突起５２を係合状態で底部４０側へ案内する案内片４８を設けている。そして、係合突起５２、５２を案内片４８、４８に係合させた状態でサブ収納ケース３２を底部４０側へ押し込むと、案内片４８、４８が弾性変形して係合突起５２、５２の底部４０側への進入が許容され、サブ収納ケース３２が底部４０へ到達すると、各係合突起５２と案内片４８との係合が解除され、各案内片４８が弾性変形前の突出位置へ復帰して係合突起５２と前後方向で重なり、係合突起５２の反押し込み方向への移動を規制するようになっている。つまり、サブ収納ケース３２を押し込むだけでベース部材３１に取り付けることができるため、取付作業が非常に容易となる。また、案内片４８をレール状に形成し、係合突起５２が係合した状態のまま押し込み可能としているため、押し込み時にサブ収納ケース３２がズレにくく、サブ収納ケース３２の取り付けをスムーズに行うことができる。
【００２４】
また、ベース部材３１に、取付状態にあるサブ収納ケース３２を後方へ、すなわち係合突起５２が案内片４８に押し付けられる方向へ付勢する弾性片４３、４３を設けている。したがって、サブ収納ケース３２の取付強度を向上することができ、サブ収納ケース３２がベース部材３１への取付状態でガタ付いたりしない。
【００２５】
さらに、ベース部材３１に後方へ突出する突起４２、４２・・を設ける一方、サブ収納ケース３２に、ベース部材３１への取付状態において突起４２が嵌入する嵌合部５１、５１・・を設けている。したがって、嵌合部５１内への突起４２の嵌入により、サブ収納ケース３２は取付状態において上下左右方向への移動が規制されるため、ガタ付き防止効果を一層向上することができる。
【００２６】
加えて、ベース部材３１に、サブ収納ケース３２が取り付けられる底部４０の左右に一対の脚部４１ａ、４１ｂを前後方向へ立設し、当該脚部４１ａ、４１ｂにメイン収納ケース２０を取り付けるための取付部２１ａ、２１ｂを設けており、取付凹部３５を覆うようにメイン収納ケース２０を脚部４１ａ、４１ｂに架け渡して取付可能としている。したがって、メイン収納ケース２０を取り付けることで制御装置３０全体の強度向上を図ることができるし、サブ収納ケース３２が覆われるためサブ収納ケース３２の防犯性も向上することができる。
【００２７】
（本発明の変更例）
なお、本発明の収納ケースの取付構造に係る構成は、上記実施形態に何ら限定されるものではなく、メイン収納ケースやサブ収納ケース、ベース部材等に係る構成について、本発明の趣旨を逸脱しない範囲で必要に応じて適宜変更可能である。
【００２８】
たとえば、上記実施形態ではサブ収納ケース３２の取付構造としているが、メイン収納ケース２０の取付構造として、係合突起や案内片を採用することは当然可能であるし、図柄制御基板や音制御基板等、他の基板を収納した収納ケースの取付構造に適用可能であることは言うまでもない。
また、サブ収納ケース３２の左右両側に係合突起５２を設けているが、サブ収納ケース３２の左右どちから一方のみに係合突起５２を設け、他方については、メイン収納ケース２０同様、ベース部材３１に設けられた係止部に係止させるような構成としてもよい。当該構成であっても、他方側を係止部に係止させた後、係合突起５２を案内片４８に係合させて押し込むだけで取り付けることができるため、取付作業の簡略化等を図ることができる。尚、係合突起５２を設ける位置、すなわちサブ収納ケース３２のどこに係合部を設けるかについても、当然設計変更可能である。
【００２９】
さらに、ベース部材３１に設けた突起４２、及びサブ収納ケース３２に設けた嵌合部５１による位置決め構造については、必要なければ設けずともよく、たとえば底部４０の上辺及び下辺にリブを設ける等して、サブ収納ケース３２を底部４０に取り付けた際、サブ収納ケース３２の上下左右側面をリブや脚部４１ａ、４１ｂの内壁部（すなわち取付凹部の内周面）で支持するように構成することも可能である。
また、収納ケースの取付対象となるベース部についても適宜変更可能であって、ベース部材３１を用いる代わりに、液晶表示装置やミドル枠、機枠等の一部に案内片４８を有するベース部を形成してもよい。
【００３０】
またさらに、弾性片４３の有無についても適宜変更可能であって、案内片４８と底部４０（取付対象の一部）との間に形成される隙間と係合突起５２との大きさを同じとすれば弾性片４３を設ける必要はないし、弾性片４３を設ける代わりに、別途弾性部材（たとえば板バネ）を組み付けて構成することも可能である。さらにまた、上記実施形態では底部４０に突起４２を、サブ収納ケース３２に嵌合部５１を夫々設けているが、底部に嵌合部を、収納ケースに突起を設けてもよく、同様の効果を奏することができる。
加えて、上記実施形態ではパチンコ機の収納ケースの取付構造について説明しているが、本発明をパチンコ機以外の遊技機（たとえばスロットマシーン）における収納ケースの取付構造に適用可能であることは言うまでもない。
【符号の説明】
【００３１】
１・・遊技機、２０・・メイン収納ケース（第２の収納ケース）、２１・・取付部、３０・・制御装置、３１・・ベース部材（ベース部）、３２・・サブ収納ケース（収納ケース）、３５・・取付凹部、４０・・底部、４１ａ、４１ｂ・・脚部、４２・・突起、４３・・弾性片（弾性部）、４８・・案内片、５１・・嵌合部、５２・・係合突起（係合部）。
【図１】
0005435342.tif 000002
【図２】
0005435342.tif 000003
【図３】
0005435342.tif 000004
【図４】
0005435342.tif 000005
【図５】
0005435342.tif 000006
【図６】
0005435342.tif 000007
【図７】
0005435342.tif 000008
【図８】
0005435342.tif 000009
【図９】
0005435342.tif 000010
【図１０】
0005435342.tif 000011
【図１１】
0005435342.tif 000012